(57)【要約】  【課題】  光ディスク毎に最適なイコライザ調整を短時間で行うことができる光ディスク再生装置を提供する。  【解決手段】  測定点設定手段２２２により一方の測定点が基準探索点として設定され、他方の測定点が基準探索点より設定位置だけ離れた位置に設定される。一方の測定点のジッタ値と他方の測定点のジッタ値との差が所定範囲内にある場合には、ジッタの良い方の測定点のジッタ値が第１の調整値設定手段２２４によりイコライザ調整値として設定される。一方の測定点のジッタ値と他方の測定点のジッタ値との差が所定範囲外にある場合には、測定点移動手段２２５により両測定点のうちジッタ値の大きい方の測定点が設定位置だけ移動され、移動した測定点のジッタ値ともう一方の測定点のジッタ値との差が所定範囲内にある場合には、第２の調整値設定手段２２７によりジッタの良い方の測定点のジッタ値がイコライザ調整値として設定される。【選択図】      図１
2005353183.tif 000002
【特許請求の範囲】
【請求項１】
光ディスクの再生信号のカットオフ周波数とブースト量とを設定してイコライザ調整を
行う機能を有する光ディスク再生装置において、ジッタを測定するために光ディスク上の
所定アドレスまで光ピックアップをシークさせてポーズ状態に設定する光ピックアップ設
定手段と、カットオフ周波数を横軸としブースト量を縦軸とした座標平面上の点をジッタ
の測定点として少なくとも順次２個設け、前記２個の測定点のうちの一方の測定点を基準
探索点として設定すると共に他方の測定点を前記基準探索点より設定位置だけ離れた位置
に設定する測定点設定手段と、前記一方の測定点のジッタ値と前記他方の測定点のジッタ
値との差が所定範囲内にある場合に両測定点がジッタ座標空間の谷底にあると判定する第
１のジッタ谷底判定手段と、前記両測定点がジッタ座標空間の谷底にあると判定された場
合にジッタの良い方の測定点のジッタ値をイコライザ調整値として設定する第１の調整値
設定手段と、前記一方の測定点のジッタ値と前記他方の測定点のジッタ値との差が所定範
囲外にある場合に両測定点のうちジッタ値の大きい方の測定点を設定位置だけ移動させる
測定点移動手段と、前記移動した測定点のジッタ値ともう一方の測定点のジッタ値との差
が所定範囲内にある場合に両測定点がジッタ座標空間の谷底にあると判定する第２のジッ
タ谷底判定手段と、前記両測定点がジッタ座標空間の谷底にあると判定された場合にジッ
タの良い方の測定点のジッタ値をイコライザ調整値として設定する第２の調整値設定手段
とを有し、カットオフ周波数とブースト量を同時に変化させて最適なジッタ値を探索し、
イコライザ調整を行うシステムコントローラを備えたことを特徴とする光ディスク再生装
置。
【請求項２】
光ディスクの再生信号のカットオフ周波数とブースト量とを設定してイコライザ調整を
行う機能を有する光ディスク再生装置において、カットオフ周波数を横軸としブースト量
を縦軸とした座標平面上の点で決まるジッタの測定点を、カットオフ周波数とブースト量
とを同時に変化させることによって位置設定し、前記測定点を移動させて最適なジッタ値
を探索するシステムコントローラを備えたことを特徴とする光ディスク再生装置。
【請求項３】
前記システムコントローラは、ジッタを測定するために光ディスク上の所定のアドレス
まで光ピックアップをシークさせてポーズ状態に設定し、カットオフ周波数を横軸としブ
ースト量を縦軸とした座標平面上の点をジッタの測定点として少なくとも順次２個設け、
前記２個の測定点のジッタ差が所定範囲内にある場合にジッタの良い方の測定点のジッタ
値をイコライザ調整値として設定し、前記ジッタ差が所定範囲外にある場合には両測定点
のうち一方の測定点を移動させ、移動した測定点のジッタ値ともう一方の測定点のジッタ
値との差が所定範囲内にある場合にジッタの良い方の測定点のジッタ値をイコライザ調整
値として設定することを特徴とする請求項２に記載の光ディスク再生装置。
【請求項４】
前記システムコントローラは、ジッタを測定するために光ディスク上の所定アドレスま
で光ピックアップをシークさせてポーズ状態に設定する光ピックアップ設定手段と、カッ
トオフ周波数を横軸としブースト量を縦軸とした座標平面上の点をジッタの測定点として
少なくとも順次２個設け、前記２個の測定点のうちの一方の測定点を基準探索点として設
定すると共に他方の測定点を前記基準探索点より設定位置だけ離れた位置に設定する測定
点設定手段と、前記一方の測定点のジッタ値と前記他方の測定点のジッタ値との差が所定
範囲内にある場合に両測定点がジッタ座標空間の谷底にあると判定する第１のジッタ谷底
判定手段と、前記両測定点がジッタ座標空間の谷底にあると判定された場合にジッタの良
い方の測定点のジッタ値をイコライザ調整値として設定する第１の調整値設定手段と、前
記一方の測定点のジッタ値と前記他方の測定点のジッタ値との差が所定範囲外にある場合
に両測定点のうちジッタ値の大きい方の測定点を設定位置だけ移動させる測定点移動手段
と、前記移動した測定点のジッタ値ともう一方の測定点のジッタ値との差が所定範囲内に
ある場合に両測定点がジッタ座標空間の谷底にあると判定する第２のジッタ谷底判定手段
と、前記両測定点がジッタ座標空間の谷底にあると判定された場合にジッタの良い方の測
定点のジッタ値をイコライザ調整値として設定する第２の調整値設定手段とを有し、カッ
トオフ周波数とブースト量を同時に変化させて最適なジッタ値を探索し、イコライザ調整
を行うことを特徴とする請求項３に記載の光ディスク再生装置。
【発明の詳細な説明】
【技術分野】
【０００１】
本発明は、光ディスクに記録された情報を再生する光ディスク再生装置に関し、特に、
装置のイコライザ調整を行う機能を有する光ディスク再生装置に関する。
【背景技術】
【０００２】
従来から知られているように、ＣＤ（コンパクト・ディスク）やＤＶＤ（デジタル・バ
ーサタイル・ディスク）などの光ディスクに記録された情報を再生する光ディスク再生装
置においては、光ディスク上の情報を電気的に読み出した再生信号であるＲＦ信号の信号
波形の劣化を補償するため、イコライザ調整が行われている。ＲＦ信号には種々の周波数
成分が含まれており、高い周波数ほどレベルが低く、低いレベルのままであると、ＲＦ信
号のジッタが大きくなって悪化し、また、必要な周波数成分以外もジッタの悪化につなが
る。そこで、レベルの低い周波数成分をブーストし、ある周波数以上の成分をカットして
、ジッタが小さく（良く）なるようにＲＦ信号の周波数特性を調整するイコライザ調整が
行われている。
【０００３】
イコライザ調整は、カットオフ周波数とブースト量の双方の調整を組み合わせることに
よって行われる。カットオフ周波数の調整とは、ＲＦ信号のある周波数以上あるいは以下
またはある幅の成分を、基準レベルより例えば３ｄＢ低減させるポイントとなる周波数を
決定することである。ブースト量の調整とは、ＲＦ信号のある周波数を中心としてＲＦ信
号をブーストしてゲインを上げる量を決定することである。
【０００４】
図８は従来の光ディスク再生装置におけるイコライザの調整処理を説明するためのフロ
ーチャートである。このフローチャートを参照してイコライザの調整処理について説明す
る。
【０００５】
先ず、光ディスク再生装置に装填された光ディスクがＤＶＤまたはＣＤである場合の装
置のイコライザ調整において、光ピックアップが光ディスク上のある特定のトラック（ア
ドレス）で止まっていくためのポーズ状態（光ディスクが１回転したらトラックジャンプ
して止まるという状態）となる動作（スティル動作）が開始され（ステップＮ１）、ジッ
タの測定ができるような状態になったと判定されたとき、即ち、ジッタ測定が可能である
と判定されたとき（ステップＮ２）、装置の信号処理を行うデジタル信号処理部を構成す
るＬＳＩ内のジッタ測定用回路の設定を行う（ステップＮ３）。このジッタ測定用回路の
設定とは、ＬＳＩの中でジッタを測定できるようにした回路設定（光ピックアップからの
ＲＦ信号をデジタル信号に変換する前の信号を光ディスクに合わせてイコライザ調整する
回路の設定）のことを言う。
【０００６】
ステップＮ３の後、ステップＮ４に移り、１回目の最適なカットオフ周波数Ｆｃの探索
を行う。この１回目の最適なカットオフ周波数Ｆｃの探索処理のフローチャートを図９に
示す。
【０００７】
図９において、装填されている光ディスクがＤＶＤであるかＣＤであるかが判別され（
ステップＮ３１）、ＤＶＤである場合はＤＶＤに応じた初期値設定が行われ（ステップＮ
３２）、ＣＤである場合はＣＤに応じた初期値設定が行われる（ステップＮ３３）。即ち
、カットオフ周波数Ｆｃの探索範囲が設定され、この探索範囲における開始点を初期値と
して設定される。そして、カットオフ周波数Ｆｃを前記設定された初期値に持って行く（
ステップＮ３４）。
【０００８】
この後、ジッタの測定を行い（ステップＮ３５）、その測定ジッタは最良ジッタ以上で
あるか否かが判定され（ステップＮ３６）、測定ジッタが最良ジッタ以上であれば、その
最良ジッタを探索した１個目のジッタ値として記憶する（ステップＮ３７）。このステッ
プＮ３７の処理の後、または測定ジッタが最良ジッタ未満の場合に、次のカットオフ周波
数Ｆｃの探索点を決め（ステップＮ３８）、同様にジッタを測定し（ステップＮ３５）、
測定ジッタが最良ジッタ以上であれば（ステップＮ３６）、その最良ジッタを探索した２
個目のジッタ値として記憶する（ステップＮ３７）。このような処理を最後のカットオフ
周波数Ｆｃに対するジッタ測定まで繰り返して複数個のジッタ値を記憶し、最後のカット
オフ周波数Ｆｃに対する処理が終了すれば（ステップＮ３９）、１回目の最適カットオフ
周波数Ｆｃの探索が終了する（ステップＮ４０）。
【０００９】
次に図８のステップＮ５の処理に戻って、２回目の最適なカットオフ周波数およびブー
スト量の探索をＣＤのみに対して行う。２回目の最適なカットオフ周波数およびブースト
量の探索処理のフローチャートを図１０に示す。
【００１０】
図１０において、イコライザ調整に用いられる光ディスクがＤＶＤであるかＣＤである
かが判別され（ステップＮ５１）、ＣＤである場合はＣＤに応じた初期値設定が行われる
（ステップＮ５２）。即ち、先程探索したジッタが最も良いカットオフ周波数Ｆｃの点か
ら、ある一定の幅を持たせてカットオフ周波数Ｆｃの探索を行うためのカットオフ周波数
Ｆｃの探索範囲が設定されると共に、ブースト量の探索を行うためのブースト量の探索範
囲が設定され、その後、カットオフ周波数Ｆｃの探索範囲での探索開始点、およびブース
ト量の探索範囲での探索開始点が設定される。
【００１１】
次に、カットオフ周波数Ｆｃを前記設定された探索開始点（初期値）に持って行く（ス
テップＮ５３）。この後、ジッタの測定を行い（ステップＮ５４）、その測定ジッタは最
良ジッタ以上であるか否かが判定され（ステップＮ５５）、測定ジッタが最良ジッタ以上
であれば、その最良ジッタを探索した１個目のジッタ値とし、このときの最良カットオフ
周波数と最良ブースト量を得る（ステップＮ５６）。このステップＮ５６の処理の後、ま
たは測定ジッタが最良ジッタ未満の場合に、次のカットオフ周波数Ｆｃの探索点を決め（
ステップＮ５７）、同様にジッタを測定し（ステップＮ５４）、この測定ジッタが最良ジ
ッタ以上であれば（ステップＮ５５）、その最良ジッタを探索した２個目のジッタ値とし
て記憶する（ステップＮ５６）。
【００１２】
このような処理を最後のカットオフ周波数Ｆｃに対するジッタ測定まで繰り返して複数
個のジッタ値を記憶し、最後のカットオフ周波数Ｆｃに対する処理が終了すれば（ステッ
プＮ５８）、次のブースト量を決め（ステップＮ５９）、最後のブースト量に対する処理
が終了すれば（ステップＮ６０）、この２回目最適カットオフ周波数およびブースト量の
探索処理は終了し（ステップＮ６１）、図８のステップＮ５に戻り、前記ジッタ測定用回
路設定が解除され（ステップＮ６）、このイコライザ調整が終了する（ステップＮ７）。
【特許文献１】特開２００２−３４３０２３号公報
【特許文献２】特開２００２−８２４３号公報
【特許文献３】特開平９−４４９９７号公報
【特許文献４】特開２００１−２３１６７号公報
【発明の開示】
【発明が解決しようとする課題】
【００１３】
従来の光ディスク再生装置においては、上述したように、カットオフ周波数の探索を行
うためのカットオフ周波数の探索範囲が設定されると共に、ブースト量の探索を行うため
のブースト量の探索範囲が設定され、その後、カットオフ周波数の探索範囲での探索開始
点、およびブースト量の探索範囲での探索開始点が設定されるので、イコライザ調整に時
間が多くかかるという課題が生じる。即ち、従来の光ディスク再生装置では、カットオフ
周波数とブースト量を別々に変化させてイコライザ調整を行っているので、イコライザ調
整に時間が多くかかるという課題が生じる。
【００１４】
なお、特許文献１，２，３，４の何れの従来技術も、カットオフ周波数とブースト量を
別々に変化させてイコライザ調整を行っているので、イコライザ調整に時間が多くかかる
という課題が生じる。
【００１５】
本発明は、上記のような課題を解決するためになされたもので、回路の持つカットオフ
周波数およびブースト量のずれを吸収し、光ディスク毎に最適なイコライザ調整を短時間
で行うことができる機能を有する光ディスク再生装置を提供することを目的とする。
【課題を解決するための手段】
【００１６】
上記目的を達成するために、請求項１の発明は、光ディスクの再生信号のカットオフ周
波数とブースト量とを設定してイコライザ調整を行う機能を有する光ディスク再生装置に
おいて、ジッタを測定するために光ディスク上の所定アドレスまで光ピックアップをシー
クさせてポーズ状態に設定する光ピックアップ設定手段と、カットオフ周波数を横軸とし
ブースト量を縦軸とした座標平面上の点をジッタの測定点として少なくとも順次２個設け
、前記２個の測定点のうちの一方の測定点を基準探索点として設定すると共に他方の測定
点を前記基準探索点より設定位置だけ離れた位置に設定する測定点設定手段と、前記一方
の測定点のジッタ値と前記他方の測定点のジッタ値との差が所定範囲内にある場合に両測
定点がジッタ座標空間の谷底にあると判定する第１のジッタ谷底判定手段と、前記両測定
点がジッタ座標空間の谷底にあると判定された場合にジッタの良い方の測定点のジッタ値
をイコライザ調整値として設定する第１の調整値設定手段と、前記一方の測定点のジッタ
値と前記他方の測定点のジッタ値との差が所定範囲外にある場合に両測定点のうちジッタ
値の大きい方の測定点を設定位置だけ移動させる測定点移動手段と、前記移動した測定点
のジッタ値ともう一方の測定点のジッタ値との差が所定範囲内にある場合に両測定点がジ
ッタ座標空間の谷底にあると判定する第２のジッタ谷底判定手段と、前記両測定点がジッ
タ座標空間の谷底にあると判定された場合にジッタの良い方の測定点のジッタ値をイコラ
イザ調整値として設定する第２の調整値設定手段とを有し、カットオフ周波数とブースト
量を同時に変化させて最適なジッタ値を探索し、イコライザ調整を行うシステムコントロ
ーラを備えたことを特徴とする光ディスク再生装置を提供する。
【００１７】
この構成において、先ず、光ピックアップを光ピックアップ設定手段により光ディスク
上の所定のアドレスまでシークさせてポーズ状態とする。そして、測定点設定手段により
、２個の測定点のうちの一方の測定点が基準探索点として設定され、他方の測定点が前記
基準探索点より設定位置だけ離れた位置に設定される。前記一方の測定点のジッタ値と前
記他方の測定点のジッタ値との差が所定範囲内にある場合には、第１のジッタ谷底判定手
段により、両測定点がジッタ座標空間の谷底にあると判定され、この場合にジッタの良い
方の測定点のジッタ値が第１の調整値設定手段によりイコライザ調整値として設定される
。
【００１８】
前記一方の測定点のジッタ値と前記他方の測定点のジッタ値との差が所定範囲外にある
場合には、測定点移動手段により両測定点のうちジッタ値の大きい方の測定点が設定位置
だけ移動され、前記移動した測定点のジッタ値ともう一方の測定点のジッタ値との差が所
定範囲内にある場合には、第２のジッタ谷底判定手段により両測定点がジッタ座標空間の
谷底にあると判定される。前記両測定点がジッタ座標空間の谷底にあると判定された場合
には、第２の調整値設定手段によりジッタの良い方の測定点のジッタ値がイコライザ調整
値として設定される。
【００１９】
この構成によれば、測定点はカットオフ周波数とブースト量の座標平面の点で決まるの
で、測定点を移動させることは、カットオフ周波数とブースト量が同時に変化することに
なり、したがって、カットオフ周波数とブースト量を同時に変化させることにより、測定
回数が少なくて済み、最適なジッタを探索することが可能になり、回路の持つカットオフ
周波数およびブースト量のずれを吸収し、光ディスク毎に最適なイコライザ調整を短時間
で行うことができる。
【００２０】
請求項２の発明は、光ディスクの再生信号のカットオフ周波数とブースト量とを設定し
てイコライザ調整を行う機能を有する光ディスク再生装置において、カットオフ周波数を
横軸としブースト量を縦軸とした座標平面上の点で決まるジッタの測定点を、カットオフ
周波数とブースト量とを同時に変化させることによって位置設定し、前記測定点を移動さ
せて最適なジッタ値を探索するシステムコントローラを備えたことを特徴とする光ディス
ク再生装置を提供する。
【００２１】
この構成において、カットオフ周波数とブースト量とを同時に変化させることによって
座標平面上のジッタの測定点が位置設定され、前記測定点を移動させて最適なジッタ値が
探索される。
【００２２】
この構成によれば、測定点はカットオフ周波数とブースト量の座標平面の点で決まるの
で、測定点を移動させることは、カットオフ周波数とブースト量が同時に変化することに
なり、したがって、カットオフ周波数とブースト量を同時に変化させることにより、測定
回数が少なくて済み、最適なジッタを探索することが可能になり、回路の持つカットオフ
周波数およびブースト量のずれを吸収し、光ディスク毎に最適なイコライザ調整を短時間
で行うことができる。
【００２３】
請求項３の発明では、請求項２の発明において、前記システムコントローラは、ジッタ
を測定するために光ディスク上の所定のアドレスまで光ピックアップをシークさせてポー
ズ状態に設定し、カットオフ周波数を横軸としブースト量を縦軸とした座標平面上の点を
ジッタの測定点として少なくとも順次２個設け、前記２個の測定点のジッタ差が所定範囲
内にある場合にジッタの良い方の測定点のジッタ値をイコライザ調整値として設定し、前
記ジッタ差が所定範囲外にある場合には両測定点のうち一方の測定点を移動させ、移動し
た測定点のジッタ値ともう一方の測定点のジッタ値との差が所定範囲内にある場合にジッ
タの良い方の測定点のジッタ値をイコライザ調整値として設定するので、カットオフ周波
数とブースト量を同時に変化させて最適なジッタ値を探索することが可能になる。
【００２４】
請求項４の発明では、請求項３の発明において、前記システムコントローラは、ジッタ
を測定するために光ディスク上の所定アドレスまで光ピックアップをシークさせてポーズ
状態に設定する光ピックアップ設定手段と、カットオフ周波数を横軸としブースト量を縦
軸とした座標平面上の点をジッタの測定点として少なくとも順次２個設け、前記２個の測
定点のうちの一方の測定点を基準探索点として設定すると共に他方の測定点を前記基準探
索点より設定位置だけ離れた位置に設定する測定点設定手段と、前記一方の測定点のジッ
タ値と前記他方の測定点のジッタ値との差が所定範囲内にある場合に両測定点がジッタ座
標空間の谷底にあると判定する第１のジッタ谷底判定手段と、前記両測定点がジッタ座標
空間の谷底にあると判定された場合にジッタの良い方の測定点のジッタ値をイコライザ調
整値として設定する第１の調整値設定手段と、前記一方の測定点のジッタ値と前記他方の
測定点のジッタ値との差が所定範囲外にある場合に両測定点のうちジッタ値の大きい方の
測定点を設定位置だけ移動させる測定点移動手段と、前記移動した測定点のジッタ値とも
う一方の測定点のジッタ値との差が所定範囲内にある場合に両測定点がジッタ座標空間の
谷底にあると判定する第２のジッタ谷底判定手段と、前記両測定点がジッタ座標空間の谷
底にあると判定された場合にジッタの良い方の測定点のジッタ値をイコライザ調整値とし
て設定する第２の調整値設定手段とを有し、カットオフ周波数とブースト量を同時に変化
させて最適なジッタ値を探索し、イコライザ調整を行うので、測定点はカットオフ周波数
とブースト量の座標平面上の点で決まり、測定点を移動させることは、カットオフ周波数
とブースト量が同時に変化することになり、したがって、カットオフ周波数とブースト量
を同時に変化させて最適なジッタ値を探索することが可能になる。
【発明の効果】
【００２５】
以上のように本発明によれば、ジッタを測定するために光ディスク上の所定アドレスま
で光ピックアップをシークさせてポーズ状態に設定する光ピックアップ設定手段と、カッ
トオフ周波数を横軸としブースト量を縦軸とした座標平面上の点をジッタの測定点として
少なくとも順次２個設け、前記２個の測定点のうちの一方の測定点を基準探索点として設
定すると共に他方の測定点を前記基準探索点より設定位置だけ離れた位置に設定する測定
点設定手段と前記一方の測定点のジッタ値と前記他方の測定点のジッタ値との差が所定範
囲内にある場合に両測定点がジッタ座標空間の谷底にあると判定する第１のジッタ谷底判
定手段と、前記両測定点がジッタ座標空間の谷底にあると判定された場合にジッタの良い
方の測定点のジッタ値をイコライザ調整値として設定する第１の調整値設定手段と、前記
一方の測定点のジッタ値と前記他方の測定点のジッタ値との差が所定範囲外にある場合に
両測定点のうちジッタ値の大きい方の測定点を設定位置だけ移動させる測定点移動手段と
、前記移動した測定点のジッタ値ともう一方の測定点のジッタ値との差が所定範囲内にあ
る場合に両測定点がジッタ座標空間の谷底にあると判定する第２のジッタ谷底判定手段と
、前記両測定点がジッタ座標空間の谷底にあると判定された場合にジッタの良い方の測定
点のジッタ値をイコライザ調整値として設定する第２の調整値設定手段とを有し、カット
オフ周波数とブースト量を同時に変化させて最適なジッタ値を探索し、イコライザ調整を
行うシステムコントローラを備えたので、測定点はカットオフ周波数とブースト量の座標
平面上の点で決まり、測定点を移動させることは、カットオフ周波数とブースト量が同時
に変化することになり、したがって、カットオフ周波数とブースト量を同時に変化させる
ことにより、測定回数が少なくて済み、最適なジッタを探索することが可能になり、回路
の持つカットオフ周波数およびブースト量のずれを吸収し、光ディスク毎に最適なイコラ
イザ調整を短時間で行うことができる。
【００２６】
また、本発明によれば、カットオフ周波数を横軸としブースト量を縦軸とした座標平面
上の点で決まるジッタの測定点を、カットオフ周波数とブースト量とを同時に変化させる
ことによって位置設定し、前記測定点を移動させて最適なジッタ値を探索するシステムコ
ントローラを備えたので、測定点はカットオフ周波数とブースト量の座標平面上の点で決
まり、測定点を移動させることは、カットオフ周波数とブースト量が同時に変化すること
になり、したがって、カットオフ周波数とブースト量を同時に変化させることにより、測
定回数が少なくて済み、最適なジッタを探索することが可能になり、回路の持つカットオ
フ周波数およびブースト量のずれを吸収し、光ディスク毎に最適なイコライザ調整を短時
間で行うことができる。
【発明を実施するための最良の形態】
【００２７】
以下、添付図面を参照しつつ、本発明の実施の形態について説明する。図１は本発明の
一実施形態に係る光ディスク再生装置の構成を示すブロック図である。この光ディスク再
生装置は、光ディスク１を回転させるスピンドルモータ５と、光ディスク１に記録された
情報を再生するためのレーザ光を出射すると共に光ディスク１からの反射光を受光する光
ピックアップ２と、この光ピックアップ２を光ディスク１の半径方向に移動させるための
スレッド３と、システムコントローラ２２の指示に応じてスピンドルモータ５およびスレ
ッド３を駆動すると共に光ピックアップ２に内蔵された対物レンズ（図示せず）を動かす
ことによりレーザ光の焦点位置を光ディスク１の記録面に対して垂直方向および水平方向
に移動させる制御を行うサーボ制御部４とを備えている。
【００２８】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２９】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００３０】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００３１】
また、この光ディスク再生装置は、システムコントローラ２２に対して、再生指示を与
えるための再生キーや、再生停止を指示するための停止キーなどの各種操作キーを有する
操作部２１と、装置全体を制御する前記システムコントローラ２２とを備えている。なお
、操作部２１は、リモートコントローラであっても良いし、装置本体の操作パネルに設け
られた操作部であっても良い。
【００３２】
また、この光ディスク再生装置は、装置の各構成要素を制御したり、装置全体を制御し
たりするためのプログラムやデータが記憶されたフラッシュＲＯＭ２３と、このフラッシ
ュＲＯＭ２３のプログラムやデータに従って演算処理を行いシステムコントローラ２２を
制御するＣＰＵ２４とを備えている。
【００３３】
システムコントローラ２２は、本実施形態の特徴とする構成要素として、ジッタを測定
するために光ディスク１上の所定アドレスまで光ピックアップ２をシークさせてポーズ状
態に設定する光ピックアップ設定手段２２１と、カットオフ周波数を横軸としブースト量
を縦軸とした座標平面上の点をジッタの測定点として少なくとも順次２個設け、前記２個
の測定点のうちの一方の測定点を基準探索点として設定すると共に他方の測定点を前記基
準探索点より設定位置だけ離れた位置に設定する測定点設定手段２２２と、前記一方の測
定点のジッタ値と前記他方の測定点のジッタ値との差が所定範囲内にある場合に両測定点
がジッタ座標空間の谷底にあると判定する第１のジッタ谷底判定手段２２３と、前記両測
定点がジッタ座標空間の谷底にあると判定された場合にジッタの良い方の測定点のジッタ
値をイコライザ調整値として設定する第１の調整値設定手段２２４と、前記一方の測定点
のジッタ値と前記他方の測定点のジッタ値との差が所定範囲外にある場合に両測定点のう
ちジッタ値の大きい方の測定点を設定位置だけ移動させる測定点移動手段２２５と、前記
移動した測定点のジッタ値ともう一方の測定点のジッタ値との差が所定範囲内にある場合
に両測定点がジッタ座標空間の谷底にあると判定する第２のジッタ谷底判定手段２２６と
、前記両測定点がジッタ座標空間の谷底にあると判定された場合にジッタの良い方の測定
点のジッタ値をイコライザ調整値として設定する第２の調整値設定手段２２７とを有する
。
【００３４】
図２は本実施形態におけるイコライザのカットオフ周波数とブースト量との関係を示す
座標平面図である。図２において、横軸がカットオフ周波数を示し、縦軸がブースト量を
示し、等高線によりジッタ量を表わしている。
【００３５】
図３は本実施形態の光ディスク再生装置におけるイコライザの調整処理を説明するため
のフローチャートである。このフローチャートを参照してイコライザの調整処理について
説明する。なお、イコライザは図１中のデジタル信号処理部８に含まれているものとする
。
【００３６】
先ず、光ディスク１上の所定のアドレスまで光ピックアップ２を光ピックアップ設定手
段２２１の制御によりシークさせてポーズ状態とし（ステップＳ１）、次に測定点設定手
段２２２により図２に示すような座標平面上の調整開始点（測定開始点）を設定し（ステ
ップＳ２）、イコライザの調整を開始する（ステップＳ３）。この後は、後述する図４に
示すステップＳ３１に移る。
【００３７】
ステップＳ３の次は、当該光ディスクが２層ディスクであるか１層ディスクであるかを
判定し（ステップＳ４）、２層ディスクならば、この２層ディスクの構造がオポジットで
あるかパラレルであるかを判定し（ステップＳ５）、それぞれの調整位置のアドレスにシ
ークを行って（ステップＳ６，Ｓ７）、調整開始点を設定し（ステップＳ８）、イコライ
ザの調整を開始する（ステップＳ９）。この後は、後述する図４に示すステップＳ３１に
移る。当該光ディスクが１層ディスクであれば、ステップＳ３の処理でイコライザ調整が
完了しているので、もう一度調整を行うことはない。１層ディスクと２層ディスクとでは
、調整値が異なるので、それぞれの調整値をメモリに記憶させておき、再生時にメモリか
ら各層ディスクに対応した調整値を読み出し、当該調整値を用いてイコライザ調整を行う
。
【００３８】
図４は前記ステップＳ３でのイコライザ調整が開始した後の処理を説明するためのフロ
ーチャートである。ステップＳ３１では、調整開始点をＡ点（図２中のある点）とし、こ
のＡ点のカットオフ周波数Ｆｃに−１したカットオフ周波数Ｆｃ−１、且つＡ点のブース
ト量Ｂｓｔに＋１したブースト量Ｂｓｔ＋１とする点をＢ点とし、これら２点のジッタを
測定する。
【００３９】
次に、Ａ点およびＢ点のジッタは−３００００以下（約１６％以上）であるか否かが判
定され（ステップＳ３２）、Ａ点およびＢ点のジッタ値が−３００００以下（約１６％以
上）でないとき、ステップＳ３４に移り、Ａ点とＢ点のジッタの差が１０００未満（約０
．５％未満）で、且つＡ点およびＢ点のどちらのジッタ値も−１９０００以上（約１０％
以下）であると判定されたとき、その点が谷の底であると、第１のジッタ谷底判定手段２
２３により判定し、ジッタ値の良い方を第１の調整値設定手段２２４によりイコライザの
調整値として設定する（ステップＳ３５，ステップＳ３６，ステップＳ３８，ステップＳ
３９，ステップＳ４０）。
【００４０】
即ち、ステップＳ３５では、測定点移動手段２２５により測定点の移動を行い、Ａ点に
Ｆｃ＋１，Ｂｓｔ＋１したＣ点をジッタ測定し（ステップＳ３５）、そのＣ点のジッタ値
がＡ点のジッタ値＋５００以下で、且つＣ点のジッタ値がＢ点のジッタ値以下であり（ス
テップＳ３６）、更に、Ａ点のジッタ値がＢ点のジッタ値以上であれば（ステップＳ３８
）、Ａ点のジッタ値をイコライザの調整値とし（ステップＳ３９）、Ａ点のジッタ値がＢ
点のジッタ値未満であれば（ステップＳ３８）、Ｂ点のジッタ値をイコライザの調整値と
する（ステップＳ４０）。
【００４１】
ステップＳ３２において、Ａ点およびＢ点のジッタ値が−３００００以下であると判定
されたとき、測定点移動手段２２５により測定点の移動を行い、Ａ点を（Ｆｃ＋１，Ｂｓ
ｔ−１）とし、Ｂ点を（Ｆｃ−１，Ｂｓｔ＋１）として、ジッタ値を測定する（ステップ
Ｓ３３）。即ち、Ａ点とＢ点のどちらもジッタ値が−３００００以下（約１６％以上）の
場合、Ａ点とＢ点はジッタの谷の外であると判断し、Ａ点を（Ｆｃ＋１，Ｂｓｔ−１）と
し、Ｂ点を（Ｆｃ−１，Ｂｓｔ＋１）として測定し直す。ジッタ値が−３００００以下で
は値の直線性が失われるため前記測定をやり直す。この後は、図５のフローチャートに示
すステップＳ５１に移る。
【００４２】
また、ステップＳ３４において、Ａ点とＢ点とのジッタ値の差が１０００以上（約０．
５％以上）で、且つ、Ａ点およびＢ点のどちらのジッタ値も−１９０００未満であると判
定されたときも、図５のフローチャートに示すステップＳ５１に移る。
【００４３】
Ａ点とＢ点とのジッタ値の差が１０００以上（約０．５％以上）、もしくはどちらも−
１９０００以下（約１０％以上）であった場合は（図４のステップＳ３４）、図５におい
て、Ａ点のジッタ値が大きければ（ステップＳ５１）、探索ステップをＦｃ＋１，Ｂｓｔ
−１に設定し（ステップＳ５２）、Ｂ点のジッタ値が大きければ（ステップＳ５１）、探
索ステップをＦｃ−１，Ｂｓｔ＋１に設定する（ステップＳ５４）。そして、Ａ点とＢ点
でジッタ値が良い方を暫定のＣ点とし、探索の起点とする（ステップＳ５３，Ｓ５５）。
【００４４】
次に、探索ステップを１進め、ジッタを測定し（ステップＳ５６）、今回測定したジッ
タ値と前回測定したジッタ値（１回目はＡまたはＢの値）とを比較し（ステップＳ５７）
、今回のジッタ値が前回のジッタ値を上回った場合、今回のジッタ値を示す点をＣ点とし
、ステップＳ５８からステップＳ５６に戻る。なお、今回のジッタ値が前回のジッタ値を
下回った場合、前回のジッタ値を谷底のジッタ値とし、この点をＣ点とする。
【００４５】
また、ステップＳ３６において、Ｃ点のジッタ値がＡ点のジッタ値＋５００よりも大き
く、且つＣ点のジッタ値がＢ点のジッタ値よりも大きいと判定されたとき、（Ｃ＝Ａ＋１
）のフラグを立て、図６に示すフローチャートのステップＳ６１に移る。即ち、Ａ点に（
Ｆｃ＋１，Ｂｓｔ＋１）した点のジッタ値を測定し、その点のジッタ値がＡ点とＢ点のい
ずれよりも（調整値の点よりも）良く、且つ、Ａ点と５００以上（約０．２５％以上）の
差があれば、更に、ジッタ値の良い点が存在すると判定して、その点をＣ点として、図６
に示すフローチャートのステップＳ６１の処理に入る。
【００４６】
図６において、Ｃ点から、Ｆｃ＋４，Ｂｓｔ＋２した点（Ｄ点）とＦｃ＋３，Ｂｓｔ＋
３とした点（Ｅ点）のジッタ値を測定し（ステップＳ６１）、Ｄ点とＥ点とのジッタ差が
１０００未満（約０．５％未満）であれば（ステップＳ６２）、第２のジッタ谷底判定手
段２２６によりジッタの谷の底であると判定し、ジッタ値の良い方の点をＦ点とし（ステ
ップＳ６３，Ｓ６４，Ｓ６５）、図７に示すフローチャートのステップＳ７１の処理に移
る。
【００４７】
Ｄ点とＥ点とのジッタ値の差が１０００以上（約０．５％以上）で（ステップＳ６２）
、Ｄ点のジッタ値がＥ点のジッタ値よりも大きければ（ステップＳ６６）、探索ステップ
をＦｃ＋１，Ｂｓｔ−１に設定し（ステップＳ６７）、探索起点をＤ点とし（ステップＳ
６８）、一方、Ｅ点のジッタ値がＤ点のジッタ値よりも大きければ（ステップＳ６６）、
探索ステップをＦｃ−１，Ｂｓｔ＋１に設定し（ステップＳ６９）、探索起点をＥ点とす
る（ステップＳ７０）。
【００４８】
そして、探索ステップを１進め、ジッタ値を測定し（ステップＳ７１）、今回測定した
ジッタ値と前回測定のジッタ値（１回目はＤ点またはＥ点の値）とを比較する（ステップ
Ｓ７２）。今回のジッタ値が前回のジッタ値を上回った場合、今回のジッタ値を示す点を
Ｆ点とし、ステップＳ７３を介してステップＳ７１の処理に戻る。今回のジッタ値が前回
のジッタ値を下回った場合、前回のジッタ値を示す点が谷底にあり、その点をＦ点とし、
図７に示すフローチャートのステップＳ８１の処理に移る。
【００４９】
図７において、Ｃ点とＦ点とのジッタ値を比較し（ステップＳ８１）、Ｃ点とＦ点との
ジッタ値の差が１０００未満（約０．５％未満）であれば、第２のジッタ谷底判定手段２
２６により、どちらもジッタの谷の底であると判定して、第２の調整値設定手段２２７に
より良い方を調整値とする（ステップＳ８２，Ｓ８３，Ｓ８４）。一方、Ｃ点とＦ点との
ジッタ値の差が１０００以上（約０．５％以上）で、且つＣ点のジッタ値がＦ点のジッタ
値よりも大きければ（ステップＳ８５）、Ｃ点がよりジッタの深い点にあると判定して、
更にジッタ値が良い点があるかを確認する。但し、この条件を満たし、且つＣ点が図４に
示すフローチャートの調整で、Ａ点にＦｃ＋１，Ｂｓｔ＋１した点の場合、Ｇ点を測定せ
ず、Ｃ点を調整値とする（ステップＳ８７）。
（Ｃ＝Ａ＋１）にフラグが立っていない場合（ステップＳ８６）、Ｃ点から、Ｆｃ−２，
Ｂｓｔ−１した点をジッタ測定し、その点をＧ点とする（ステップＳ８８）。そして、Ｃ
点のジッタ値とＧ点のジッタ値とを比較し、ジッタ値が良い方を調整値とする（ステップ
Ｓ８９，Ｓ９０，Ｓ９１）。
【００５０】
Ｃ点とＦ点とのジッタ値の差が１０００以上（約０．５％以上）で（ステップＳ８１）
、且つＣ点のジッタ値がＦ点のジッタ値よりも小さければ（ステップＳ８５）、Ｆ点がジ
ッタのより深い点にあると判定して、更にジッタ値の良い点があるかを確認する。Ｆ点か
ら、Ｆｃ＋２，Ｂｓｔ＋１した点をジッタ測定し、その点をＧ点とする（ステップＳ９２
）。そして、Ｆ点とＧ点とのジッタ値を比較し、良い方を調整値とする（ステップＳ９３
，Ｓ９４，Ｓ９５）。
【００５１】
以上説明したように本実施形態によれば、測定点はカットオフ周波数とブースト量の座
標平面上の点で決まるので、測定点を移動させることは、カットオフ周波数とブースト量
が同時に変化することになり、したがって、カットオフ周波数とブースト量を同時に変化
させることにより、測定回数が少なくて済み、最適なジッタを探索することが可能になり
、回路の持つカットオフ周波数およびブースト量のずれを吸収し、光ディスク毎に最適な
イコライザ調整を短時間で行うことができる。
【図面の簡単な説明】
【００５２】
【図１】本発明の一実施形態に係る光ディスク再生装置の構成を示すブロック図である。
【図２】前記実施形態におけるイコライザのカットオフ周波数とブースト量との関係を示す座標平面図である。
【図３】前記実施形態におけるイコライザの調整処理を説明するためのフローチャートである。
【図４】図３のステップＳ３でのイコライザ調整が開始した後の処理を説明するためのフローチャートである。
【図５】図４のステップＳ３３またはステップＳ３４の処理の続きを説明するためのフローチャートである。
【図６】図４のステップＳ３７または図５のステップＳ５７の処理の続きを説明するためのフローチャートである。
【図７】図６のステップＳ６４またはステップＳ６５またはステップＳ７２の処理の続きを説明するためのフローチャートである。
【図８】従来の光ディスク再生装置におけるイコライザの調整処理を説明するためのフローチャートである。
【図９】図８における１回目の最適なカットオフ周波数の探索処理を説明するためのフローチャートである。
【図１０】図８における２回目の最適なカットオフ周波数およびブースト量の探索処理を説明するためのフローチャートである。
【符号の説明】
【００５３】
１    光ディスク
２    光ピックアップ
２２      システムコントローラ
２２１    光ピックアップ設定手段
２２２    測定点設定手段
２２３    第１のジッタ谷底判定手段
２２４    第１の調整値設定手段
２２５    測定点移動手段
２２６    第２のジッタ谷底判定手段
２２７    第２の調整値設定手段
【図１】
2005353183.tif 000003
【図２】
2005353183.tif 000004
【図３】
2005353183.tif 000005
【図４】
2005353183.tif 000006
【図５】
2005353183.tif 000007
【図６】
2005353183.tif 000008
【図７】
2005353183.tif 000009
【図８】
2005353183.tif 000010
【図９】
2005353183.tif 000011
【図１０】
2005353183.tif 000012